(57)【要約】      （修正有）【課題】印刷用紙を交換するための作業を容易にする商品販売登録装置を提供する。【解決手段】ＰＯＳ端末装置１は、ロール紙格納部３０およびプリンタが設けられる装置本体部と、装置本体部の上方Ｚ１に設けられる表示部１２と、表示部１２を回動させる回動部１３とを含み、ロール紙格納部３０は、ロール紙の収容空間Ｓを形成する収容空間形成部と、収容空間Ｓを閉塞する閉位置と開放する開位置との間で回動可能なカバーと、カバーを開方向に付勢するばねと、閉位置に配置されているカバーと係合する係合位置と、係合が解除される退避位置との間で回動可能なカム２７と、カム２７を係合位置に向かう方向へ付勢するばね２８とを備え、回動部１３は、表示部１２をカバーの開動作を妨げる起点位置から妨げない交換位置へ回動させるのに伴って、カム２７を係合位置から解除位置へ変位させるカム４３を備える。【選択図】図５
2015176199.tif 000002
【特許請求の範囲】
【請求項１】
商品の登録および決済を行う商品販売登録装置において、
印刷用紙を格納する用紙格納部および印刷用紙に決済情報を印刷する印刷部を有する装置本体部であって、
前記用紙格納部が、
印刷用紙を収容可能である、装置本体部の上方に開放する収容空間を形成する収容空間形成部と、
装置本体部の上下方向に垂直な第１軸線まわりに回動可能に設けられる蓋部であって、前記収容空間を閉塞する閉位置と、印刷用紙を挿入可能に前記収容空間を開放する開位置との間で回動可能な蓋部と、
前記蓋部を、前記第１軸線まわりに、前記閉位置から前記開位置に向かう方向へ付勢する第１付勢手段と、
前記閉位置に配置されている前記蓋部と係合する係合位置と、前記閉位置に配置されている前記蓋部との係合が解除される解除位置との間で変位可能に設けられる係合部材と、
前記係合部材を、前記解除位置から前記係合位置に向かう方向へ付勢する第２付勢手段とを備える、装置本体部と、
商品の登録および決済に係る情報を表示する表示部と、
前記装置本体部上に前記用紙格納部から離間して配設され、前記装置本体部の上下方向に平行な第２軸線まわりに回動可能に前記表示部を支持し、前記蓋部の前記閉位置から前記開位置への開動作を妨げる妨害位置と、前記蓋部の前記開動作を妨げない退避位置との間で前記表示部を回動させる回動部であって、
前記妨害位置に配置されている前記表示部の該妨害位置から前記退避位置への回動に伴って、前記係合位置に配置されて前記蓋部と係合している前記係合部材を、該係合位置から前記解除位置へ変位させる操作部材を有する回動部と、を含むことを特徴とする商品販売登録装置。
【請求項２】
前記操作部材は、前記係合部材へ押圧力を付与することによって、該係合部材を、前記係合位置から前記解除位置へ変位させることを特徴とする請求項１に記載の商品販売登録装置。
【請求項３】
前記操作部材は、前記表示部が前記回動により前記退避位置へ到達する前に、前記係合部材への前記押圧力の付与を解除することを特徴とする請求項２に記載の商品販売登録装置。
【請求項４】
前記回動部は、前記退避位置に配置されている前記表示部を該退避位置から前記妨害位置へ向けて回動させるとき、前記操作部材が、前記係合位置に配置されて前記蓋部と係合している前記係合部材を、該係合位置から変位させないように構成されていることを特徴とする請求項３に記載の商品販売登録装置。
【発明の詳細な説明】
【技術分野】
【０００１】
本発明は、ＰＯＳ（Point Of Sales）端末装置および電子式金銭登録機（Electronic Cash Resistor；略称「ＥＣＲ」）などの商品販売登録装置に関する。
【背景技術】
【０００２】
従来、ＰＯＳ端末装置およびＥＣＲなどの商品販売登録装置では、商品の販売に係る決済情報をロール紙（印刷用紙）に印刷するプリンタと、商品の販売および登録に係る各種の情報を表示する表示装置とを備えるものが一般的である。
【０００３】
このような商品販売登録装置としては、装置全体としては小型化しつつ、大きな表示画面を確保するために、たとえば特許文献１に開示されるＰＯＳ端末装置のように、プリンタが内蔵される装置本体部の上方に、表示装置を配置したものが普及している。
【０００４】
そして、このような商品販売登録装置では、装置本体部に含まれるプリンタの用紙格納部にロール紙をセットするために開けられるプリンタカバーの開動作が、装置本体部の上方に配置される表示装置によって妨げられるのを防止するために、表示装置を、装置の上下方向に延びる軸線まわりに回動可能に設けている。これにより、使用状態では、表示装置を、画面が装置正面に臨む位置、すなわちプリンタカバーの開動作が妨げられてしまう位置に配置し、用紙格納部にロール紙をセットする際には、表示装置を回動させて、プリンタカバーの上方に、プリンタカバーの開動作を行うのに充分なスペースを確保している（特許文献１参照）。
【先行技術文献】
【特許文献】
【０００５】
【特許文献１】特開２０１２−１２８８０３号公報
【発明の概要】
【発明が解決しようとする課題】
【０００６】
しかしながら、特許文献１に開示されるような従来の商品販売登録装置によれば、プリンタの用紙格納部にセットされているロール紙を新たなロール紙に交換するためには、ユーザは、表示装置を、使用状態の位置からプリンタカバーの上方にスペースが確保される位置まで表示装置を回動させるという動作と、閉じられている状態でロックされているプリンタカバーを開けるために、ロック解除ボタンを操作するという動作との２つの動作が必要となってしまい、作業が面倒であるという問題がある。
【０００７】
本発明の目的は、印刷用紙を交換するための作業を容易にする商品販売登録装置を提供することである。
【課題を解決するための手段】
【０００８】
本発明は、商品の登録および決済を行う商品販売登録装置において、
印刷用紙を格納する用紙格納部および印刷用紙に決済情報を印刷する印刷部を有する装置本体部であって、
前記用紙格納部が、
印刷用紙を収容可能である、装置本体部の上方に開放する収容空間を形成する収容空間形成部と、
装置本体部の上下方向に垂直な第１軸線まわりに回動可能に設けられる蓋部であって、前記収容空間を閉塞する閉位置と、印刷用紙を挿入可能に前記収容空間を開放する開位置との間で回動可能な蓋部と、
前記蓋部を、前記第１軸線まわりに、前記閉位置から前記開位置に向かう方向へ付勢する第１付勢手段と、
前記閉位置に配置されている前記蓋部と係合する係合位置と、前記閉位置に配置されている前記蓋部との係合が解除される解除位置との間で変位可能に設けられる係合部材と、
前記係合部材を、前記解除位置から前記係合位置に向かう方向へ付勢する第２付勢手段とを備える、装置本体部と、
商品の登録および決済に係る情報を表示する表示部と、
前記装置本体部上に前記用紙格納部から離間して配設され、前記装置本体部の上下方向に平行な第２軸線まわりに回動可能に前記表示部を支持し、前記蓋部の前記閉位置から前記開位置への開動作を妨げる妨害位置と、前記蓋部の前記開動作を妨げない退避位置との間で前記表示部を回動させる回動部であって、
前記妨害位置に配置されている前記表示部の該妨害位置から前記退避位置への回動に伴って、前記係合位置に配置されて前記蓋部と係合している前記係合部材を、該係合位置から前記解除位置へ変位させる操作部材を有する回動部と、を含むことを特徴とする商品販売登録装置である。
【０００９】
また本発明は、前記操作部材は、前記係合部材へ押圧力を付与することによって、該係合部材を、前記係合位置から前記解除位置へ変位させることを特徴とする。
【００１０】
また本発明は、前記操作部材は、前記表示部が前記回動により前記退避位置へ到達する前に、前記係合部材への前記押圧力の付与を解除することを特徴とする。
【００１１】
また本発明は、前記回動部は、前記退避位置に配置されている前記表示部を該退避位置から前記妨害位置へ向けて回動させるとき、前記操作部材が、前記係合位置に配置されて前記蓋部と係合している前記係合部材を、該係合位置から変位させないように構成されていることを特徴とする。
【発明の効果】
【００１２】
本発明によれば、商品販売登録装置において、印刷用紙を交換するための作業を容易にすることができる。
【図面の簡単な説明】
【００１３】
【図１】本発明の第１の実施形態に係るＰＯＳ端末装置１の外観を示す斜視図である。
【図２】上方Ｚ１から見たＰＯＳ端末装置１を簡略化して示す図であり、通常使用時におけるＰＯＳ端末装置１を示している。
【図３】上方Ｚ１から見たＰＯＳ端末装置１を簡略化して示す図であり、ロール紙交換時におけるＰＯＳ端末装置１を示している。
【図４】ロール紙格納部３０の構成を概略的に示す断面図である。
【図５】図４（ａ）における切断面線Ｖ−Ｖから見たＰＯＳ端末装置１の断面を示す図である。
【図６Ａ】表示部１２を起点位置から交換位置に向けて回動させる過程におけるロック解除機構４５の動作を説明するための図である。
【図６Ｂ】表示部１２を起点位置から交換位置に向けて回動させる過程におけるロック解除機構４５の動作を説明するための図である。
【図７】表示部１２を起点位置から交換位置に向けて回動させる過程におけるロック解除機構４５の動作を説明するための図である。
【図８Ａ】表示部１２を交換位置から起点位置に向けて回動させる過程におけるロック解除機構４５の動作を説明するための図である。
【図８Ｂ】表示部１２を交換位置から起点位置に向けて回動させる過程におけるロック解除機構４５の動作を説明するための図である。
【図９】表示部１２を交換位置から起点位置に向けて回動させる過程におけるロック解除機構４５の動作を説明するための図である。
【発明を実施するための形態】
【００１４】
（第１の実施形態）
図１は、本発明の第１の実施形態に係るＰＯＳ端末装置１の外観を示す斜視図である。図２および図３は、上方Ｚ１から見たＰＯＳ端末装置１を簡略化して示す図であり、図２は、通常使用時におけるＰＯＳ端末装置１を示し、図３は、ロール紙交換時におけるＰＯＳ端末装置１を示している。
【００１５】
ＰＯＳ端末装置１（商品販売登録装置）は、コンビニエンスストアや飲食店などの店舗におけるレジカウンターに設置され、客が購入を希望する商品の登録および決済を行うための情報処理装置である。
【００１６】
ＰＯＳ端末装置１は、レジカウンターなどにおける平坦な載置面上に載置され、各種の装置が収容される装置本体部１１と、装置本体部１１の上方Ｚ１に設けられる表示部１２と、表示部１２を上下方向Ｚに平行な軸線Ｊ２まわりに回動させる回動部１３とを備えている。
【００１７】
なお、ＰＯＳ端末装置１の上下方向Ｚは、通常の姿勢で装置本体部１１が平坦な載置面上に載置されたときに、その載置面に垂直な方向に一致する方向である。また、ＰＯＳ端末装置１の左右方向Ｘおよび前後方向Ｙは、互いに直交する方向であり、また、いずれも上下方向Ｚに直交する方向である。
【００１８】
装置本体部１１は、一取引に係るレシートやジャーナルを発行するために、ロール紙（印刷用紙）に印字を行うプリンタ（印刷部）、プリンタおよび表示部１２を含む、ＰＯＳ端末装置１の各部における動作を制御する制御回路、各種のプログラムや制御に必要なデータなどが格納される半導体メモリなどの記憶装置、および、商用電源などの電源から各負荷部に必要な電力を供給する電源装置などを内部に収容する本体キャビネット２１を有している。
【００１９】
本体キャビネット２１の前方Ｙ１側の上面部２１ａには、取引に係る各種の情報を入力するための入力装置として、商品の金額や購入点数などを入力するためのテンキーおよび各種の機能キーを含んで構成されるキーボード２２が設けられている。
【００２０】
また、その上面部２１ａよりも上方Ｚ１に設けられる、本体キャビネット２１の後方Ｙ２側の上面部２１ｂの左方Ｘ１には、略矩形板状のプリンタカバー２３が設けられ、そのプリンタカバー２３の下方Ｚ２には、ロール紙を収容可能な、上方Ｚ１に開放する収容空間Ｓを形成する収容空間形成部２４が形成される。
【００２１】
プリンタカバー２３は、その後方Ｙ２側の端部である後端部２３ａが、左右方向Ｘに平行に延びる軸線Ｊ１まわりに回動可能に支持されている。プリンタカバー２３は、詳細には、収容空間Ｓを閉塞する閉位置と、収容空間Ｓへ新たなロール紙を挿入可能な程度にまで収容空間Ｓを開放する、予め定める開位置との間で回動可能に設けられる。
【００２２】
すなわち、プリンタカバー２３は、収容空間Ｓを開放および閉塞するための開閉可能な蓋として機能する。ロール紙を格納するロール紙格納部（用紙格納部）３０は、このプリンタカバー２３と、収容空間形成部２４とによって構成される。
【００２３】
なお、図１および図２では、プリンタカバー２３が閉位置に配置されている状態、すなわち収容空間Ｓが閉塞されている状態を示している。また、図３では、プリンタカバー２３が開位置に配置されている状態、すなわち新たなロール紙を挿入可能に収容空間Ｓが開放されている状態を示している。
【００２４】
また、上面部２１ａと上面部２１ｂとの間に設けられる段差部２１ｃには、プリンタにより発行されたレシートやジャーナルが排出されるレシート排出口２５が設けられる。なお、この装置本体部１１には、ドロワ装置やバーコードスキャナが接続されていてもよい。
【００２５】
表示部１２は、表示面１２ａに取引に係る各種の画面を表示する装置であり、たとえば、液晶ディスプレイ装置および有機ＥＬディスプレイ装置などの公知の表示装置によって実現される。表示部１２の表示面１２ａには、入力装置として、抵抗膜方式または静電容量方式など、周知の方式を用いたタッチパネルが積重されてもよく、この場合、タッチパネルと表示部１２とによって、操作者に対して対話的な操作インタフェースが提供される。
【００２６】
回動部１３は、本体キャビネット２１の後方Ｙ２側の上面部２１ｂの右方Ｘ２に、ロール紙格納部３０から離間して設けられ、表示部１２を、上面部２１ｂの上方Ｚ１で、上下方向Ｚに平行な軸線Ｊ２まわりに回動可能に支持する。すなわち、図２および図３に示すように、プリンタカバー２３と、回動部１３とは、左右方向Ｘに沿って並設される。
【００２７】
表示部１２は、この回動部１３を介して、装置本体部１１に接続されている。回動部１３は、表示部１２の表示角度を変更する表示角度変更部として機能を有する。なお、表示部１２は、表示面１２ａの縦方向が上下方向Ｚに一致あるいは略一致するような姿勢で回動部１３に支持される。図示しないが、回動部１３には、表示面１２ａの上下方向ｚに対する傾斜角を調整するための機構が設けられていてもよい。
【００２８】
ここで、図１および図２に示すように、表示面１２ａが前方Ｙ１に臨むように配置されているときの表示部１２の位置を起点位置と称し、表示部１２が起点位置に配置されているときの、表示部１２の軸線Ｊ２まわりの回転角度を０°とすると、ＰＯＳ端末装置１は、表示部１２の回転角度が０°である場合には、プリンタカバー２３の上方Ｚ１に表示部１２が存在することにより、プリンタカバー２３を閉位置から開位置へ回動させる動作（以下、「開動作」と称する）が表示部１２により妨げられるように構成されている。この起点位置は、通常使用時に配置される位置として想定されている位置である。このような構成により、表示部１２が起点位置に配置されている場合には、プリンタカバー２３を開位置へ配置することができないため、ロール紙格納部３０に格納されているロール紙を交換することはできない。
【００２９】
また、起点位置に配置されている表示部１２を、上方Ｚ１から見たときに、反時計まわりに２０°程度回転させると、すなわち回転角度が２０°程度になると、プリンタカバー２３の上方Ｚ１の空間から表示部１２が退避することにより、プリンタカバー２３の開動作が可能となる。しかしながら、表示部１２の回転角度が２０°程度である場合、プリンタカバー２３を開くことはできるが、その前方Ｙ１に存在する表示部１２が邪魔となって、ＰＯＳ端末装置１の前方Ｙ１側からでは、ロール紙の交換を行いにくい。
【００３０】
そこで、本実施形態では、ロール紙の交換を行うために、図３に示すように、回転角度が９０°になるまで表示部１２を回動させるものとしている。ここで、図３に示すように、回転角度が９０°のときの表示部１２の位置を「交換位置」と称することとすると、表示部１２を交換位置に配置することにより、プリンタカバー２３の上方Ｚ１の空間だけではなく、プリンタカバー２３の前方Ｙ１の空間からも表示部１２が退避することになり、ＰＯＳ端末装置１の前方Ｙ１側からのロール紙の交換が容易となる。
【００３１】
本実施形態に係るＰＯＳ端末装置１は、起点位置に配置されている表示部１２を交換位置まで回動させるのに連動して、閉位置に配置されているプリンタカバー２３を自動的に開くように構成されている。以下、図４および図５を参照して、その具体的な構造について説明する。
【００３２】
図４は、ロール紙格納部３０の構成を概略的に示す断面図である。図４（ａ）は、プリンタカバー２３が閉位置に配置されている状態のロール紙格納部３０を示しており、図２の切断面線Ａ−Ａから見た断面に対応している。また、図４（ｂ）は、プリンタカバー２３が開位置に配置されている状態のロール紙格納部３０を示しており、図３の切断面線Ｂ−Ｂから見た断面に対応している。
【００３３】
また、図５は、図４（ａ）における切断面線Ｖ−Ｖから見たＰＯＳ端末装置１の断面を示す図であり、ロール紙格納部３０の一部と、表示部１２が起点位置に配置されているときの回動部１３とが示されている。
【００３４】
ロール紙格納部３０は、収容空間Ｓを形成する収容空間形成部２４、ならびに、収容空間Ｓを開放および閉塞するプリンタカバー２３の他に、図４に示すように、ねじりばね２６（第１付勢手段）と、オープンカム２７（係合部材）と、オープンカム用引張コイルばね２８（第２付勢手段）とを含んで構成されている。
【００３５】
収容空間形成部２４は、本体キャビネット２１の一部によって構成されている。収容空間形成部２４は、収容空間Ｓを左右方向Ｘおよび前後方向Ｙの四方から取り囲む側壁部と、側壁部の下端に連設される底部とから成り、側壁部のうちの、右方Ｘ２側に設けられる右側壁部２４ａには、図４に示すように、前後方向Ｙに延びる、オープンカム２７を挿通可能な透孔３１が形成されている。
【００３６】
また、側壁部のうちの、後方Ｙ２側に設けられる後側壁部２４ｂの上端部の近傍には、直円柱状に形成されたスプリング支持軸３２が設けられている。このスプリング支持軸３２は、左右方向Ｘに沿って延びるように設けられ、その中心軸線は、前述の軸線Ｊ１に対応している。
【００３７】
プリンタカバー２３は、その後端部２３ａがスプリング支持軸３２によって軸線Ｊ１まわりに回動可能に支持されて設けられている。プリンタカバー２３における収容空間Ｓに臨む側の主面である下面２３ｃには、図４（ａ）に示すように、左右方向Ｘに垂直な仮想平面で切断したときの断面がＬ字形状である係止爪２９が設けられている。
【００３８】
係止爪２９は、詳細には、下面２３ｃに対し垂直に立設する垂下部２９ａと、垂下部２９ａの遊端部から下面２３ｃと平行に後方Ｙ２に向かって延びる延設部２９ｂとから成り、プリンタカバー２３が閉位置に配置されたときに、透孔３１を介して収容空間Ｓに進入したオープンカム２７の一部（以下、「係合部」と称する）２７ａと係合可能な位置に配置されている。
【００３９】
図４（ａ）に示すように、係止爪２９における垂下部２９ａおよび延設部２９ｂと下面２３ｃとによって形成されるスペースに、収容空間Ｓに進入した係合部２７ａが嵌り込むことによって、係止爪２９と係合部２７ａとが係合する。
【００４０】
このように、プリンタカバー２３は、閉位置に配置されたときに、係止爪２９と係合部２７ａとが係合すると、軸線Ｊ１まわりの周方向のうちの、閉位置から開位置へ向かう方向（以下、「開方向」と称する）Ｃ１へ回動させることができない状態、すなわち開くことができない状態となる。以下では、この状態を「ロック状態」と称することとする。
【００４１】
また、ロール紙格納部３０は、プリンタカバー２３が開位置に配置されると、それ以上開方向Ｃ１へ回動することができないように構成されているものとする。なお、以下では、軸線Ｊ１まわりの周方向のうちの、開位置から閉位置へ向かう方向（矢符Ｃ２で示す方向）を、「閉方向」と称することとする。
【００４２】
ねじりばね２６は、そのコイル部にスプリング支持軸３２が挿し込まれ、その一方の腕部が収容空間形成部２４における後側壁部２４ｂの内面に当接し、その他方の腕部がプリンタカバー２３における後端部２３ａの下面２３ｃに当接するように装着される。ねじりばね２６は、詳細には、プリンタカバー２３が開位置に配置されているときに、そのプリンタカバー２３を開方向Ｃ１に付勢する弾性エネルギーが蓄積されるように装着される。
【００４３】
オープンカム２７は、収容空間形成部２４の右側壁部２４ａに形成された透孔３１に挿入可能な厚さを有する板状部材である。オープンカム２７は、図５に示すように、透孔３１の右方Ｘ２において、上下方向Ｚに延びる軸線Ｊ３まわりに回動可能に支持され、上方Ｚ１から見たときの反時計まわりの方向（以下、「進入方向」と称する）Ｄ１に回動されることで、係合部２７ａが、透孔３１を介して、収容空間Ｓ内へ進入するように配設されている。
【００４４】
ロール紙格納部３０は、プリンタカバー２３が閉位置に配置されている場合には、図５に示すように、収容空間Ｓ内へ進入した係合部２７ａが、プリンタカバー２３の係止爪２９における垂下部２９ａと当接することによって、進入方向Ｄ１へのさらなる回動が阻止されるように構成されている。
【００４５】
一方、プリンタカバー２３が閉位置に配置されていない場合には、オープンカム２７が、垂下部２９ａと当接するときの軸線Ｊ３まわりの回転位置と同じ位置、あるいは該回転位置から僅かに進入方向Ｄ１へ進んだ位置で、透孔３１を規定している右側壁部２４ａの開口部３１ａと当接することによって、進入方向Ｄ１へのさらなる回動が阻止されるように構成されている。
【００４６】
ここで、係合部２７ａと係止爪２９における垂下部２９ａとが当接しているときの、オープンカム２７の位置を「係合位置」と称することとする。また、軸線Ｊ３まわりの周方向のうち、進入方向Ｄ１とは反対の方向（矢符Ｄ２で示す方向）を、「退避方向」と称することとする。
【００４７】
オープンカム用引張コイルばね２８は、右側壁部２４ａと軸線Ｊ３との間であって、係合位置に配置されているオープンカム２７よりも前方Ｙ１に配設され、その一端部がオープンカム２７に連結され、他端部が本体キャビネット２１の一部に連結されている。オープンカム用引張コイルばね２８は、詳細には、オープンカム２７が係合位置に配置されているときに、そのオープンカム２７を進入方向Ｄ１に付勢する弾性エネルギーが蓄積されるように装着されている。
【００４８】
かかる構成により、オープンカム２７は、プリンタカバー２３が閉位置に配置されているときには、オープンカム用引張コイルばね２８の弾性回復力を受けて、垂下部２９ａを押圧するように、係合部２７ａが垂下部２９ａと当接し、プリンタカバー２３が開位置に配置されているときには、オープンカム用引張コイルばね２８の弾性回復力を受けて、開口部３１ａを押圧するように開口部３１ａと当接する。
【００４９】
なお、図４（ａ）に示すように、係止爪２９における延設部２９ｂの遊端部は、後方Ｙ２に進むにつれて上方Ｚ１に傾斜する傾斜面が形成され、オープンカム２７における進入方向Ｄ１下流側の端部は、進入方向Ｄ１に進むにつれて下方Ｚ２に傾斜する傾斜面が形成されている。
【００５０】
したがって、ユーザは、開位置に配置されているプリンタカバー２３の前端部２３ｂを、ねじりばね２６の弾性回復力に抗して閉方向Ｃ２に押圧するだけで、右側壁部２４ａの開口部３１ａと当接しているオープンカム２７に対して係止爪２９を容易に係合させることができる。このようにして、オープンカム２７の係合部２７ａと係止爪２９とが係合すると、プリンタカバー２３は、前記のように、閉位置でロック状態となる。
【００５１】
回動部１３は、表示部１２を軸線Ｊ２まわりに回動可能に支持する回動機構４１と、該回動機構を外囲する、上下方向Ｚに延びる円筒状の筒部４２と、ロック解除カム４３（操作部材）およびロック解除カム用引張コイルばね４４とによって構成されるロック解除機構４５とを含んで構成され、筒部４２およびロック解除機構４５は、表示部１２と一体的に、軸線Ｊ２まわりに回動するように設けられている。
【００５２】
筒部４２には、図５に示すように、収容空間形成部２４の右側壁部２４ａに形成された透孔３１の上下方向Ｚにおける位置と一致する位置に、軸線Ｊ２まわりの周方向に延びる、ロック解除カム４３を挿通可能な透孔４６が形成されている。この透孔４６は、表示部１２が起点位置に配置されているときには、後方Ｙ２側に向かって開口するように形成されている。
【００５３】
ロック解除カム４３は、筒部４２に形成された透孔４６を挿通可能な厚さを有する板状部材である。ロック解除カム４３は、図５に示すように、その一部（以下、「突出部」と称する）４３ａが透孔４６よりも外方に配設されるように、透孔４６を貫通した状態で設けられ、透孔４６よりも内方において、上下方向Ｚに延びる軸線Ｊ４まわりに回動可能に支持されている。
【００５４】
以下では、軸線Ｊ４まわりの周方向のうち、上方Ｚ１から見たときの時計まわりの方向（矢符Ｅ１で示す方向）を「第１方向」と称し、上方Ｚ１から見たときの反時計まわりの方向（矢符Ｅ２で示す方向）を「第２方向」と称することとする。
【００５５】
ロック解除カム用引張コイルばね４４は、透孔４６よりも内方に配設され、その一端部がロック解除カム４３に連結され、他端部が筒部４２に連結されている。
【００５６】
ロック解除機構４５は、このロック解除カム４３とロック解除カム用引張コイルばね４４とによって、表示部１２を起点位置から交換位置に向けて回動させる過程において、突出部４３ａが、オープンカム２７における軸線Ｊ３よりも右方Ｘ２の部分（以下、「作用部」と称する）２７ｂと接触し、その作用部２７ｂに対して退避方向Ｄ２への回転トルクを与えることで、オープンカム２７を退避方向Ｄ２へ回動させ、これにより、係合部２７ａと係止爪２９との係合を解除するように構成されている。
【００５７】
具体的には、ロック解除カム４３には、突出部４３ａよりも第２方向Ｅ２の下流側に、筒部４２の内周面４２ａと当接可能な変位阻止部４３ｂが形成され、ロック解除カム用引張コイルばね４４は、図５に示すように、この変位阻止部４３ｂと筒部４２の内周面４２ａとが当接することによって、ロック解除カム４３の第１方向Ｅ１への回動が阻止された状態で保持されるように設けられている。すなわち、ロック解除カム用引張コイルばね４４は、ロック解除カム４３を第１方向Ｅ１に付勢する弾性エネルギーが蓄積されるように設けられている。
【００５８】
また、ロック解除機構４５は、前記のように、変位阻止部４３ｂと筒部４２の内周面４２ａとが当接することによって、ロック解除カム４３の第１方向Ｅ１への回動が阻止されている状態から、ロック解除カム用引張コイルばね４４の弾性回復力に抗して、ロック解除カム４３を第２方向Ｅ２へ回動させると、突出部４３ａの透孔４６から外方への突出量が減少するように、すなわち、突出部４３ａが筒部４２の内方へ向かって退避するように構成されている（図８（ｃ）参照）。
【００５９】
以下、表示部１２を軸線Ｊ２まわりに回動させたときのロック解除機構４５の動作を、図６〜図９を参照して説明する。
【００６０】
図６Ａ、図６Ｂおよび図７は、表示部１２を起点位置から交換位置に向けて回動させる過程におけるロック解除機構４５の動作を説明するための図である。図６（ａ）は、図５と同様に、表示部１２が起点位置に配置されているときの状態を示している。なお、このとき、プリンタカバー２３は、その係止爪２９とオープンカム２７の係合部２７ａとが係合することにより、図４（ａ）に示すように、閉位置でロック状態となっている。
【００６１】
図６（ａ）に示す状態から、表示部１２を交換位置に向けて軸線Ｊ２まわりに回動させると、図６（ｂ）および図７（ａ）に示すように、ロック解除カム４３の突出部４３ａと、オープンカム２７の作用部２７ｂとが接触する。
【００６２】
この図６（ｂ）および図７（ａ）に示す状態から、表示部１２を交換位置に向けてさらに回動させると、ロック解除カム４３が、変位阻止部４３ｂと筒部４２の内周面４２ａとが当接することにより第１方向Ｅ１への回動が阻止されていることから、オープンカム２７の作用部２７ｂが、このロック解除カム４３の突出部４３ａによって、退避方向Ｄ２への回転トルクを与えられ、図６（ｃ）および図７（ｂ）に示すように、オープンカム用引張コイルばね２８の弾性回復力に抗して、オープンカム２７が退避方向Ｄ２へ回動する。これにより、係合部２７ａと係止爪２９との係合が解除されると、プリンタカバー２３は、ねじりばね２６の弾性回復力によって開方向Ｃ１へ回動し、図４（ｂ）に示すように、開位置に配置される。
【００６３】
そして、図６（ｃ）および図７（ｂ）に示す状態から、表示部１２を交換位置に向けてさらに回動させると、ロック解除カム４３の突出部４３ａとオープンカム２７の作用部２７ｂとの接触状態が解除されることにより、すなわち、オープンカム２７の作用部２７ｂに対する退避方向Ｄ２への回転トルクが除去されることにより、オープンカム２７は、オープンカム用引張コイルばね２８の弾性回復力によって、図６（ｄ）に示すように、開口部３１ａと当接するまで進入方向Ｄ１へ回動する。
【００６４】
このようにして、表示部１２を起点位置から交換位置まで回動させることによって、プリンタカバー２３が開かれると、ユーザにより、使用済みのロール紙が収容空間Ｓから取り出され、未使用のロール紙が収容空間Ｓへ挿入されることによって、ロール紙が交換される。そして、ロール紙の交換が終了すると、ユーザは、開位置に配置されているプリンタカバー２３の前端部２３ｂを、ねじりばね２６の弾性回復力に抗して閉方向Ｃ２に押圧することにより、プリンタカバー２３を閉じ、表示部１２を交換位置から起点位置まで回動させて、表示部１２を通常使用時の状態に復帰させる。
【００６５】
図８Ａ、図８Ｂおよび図９は、表示部１２を交換位置から起点位置に向けて回動させる過程におけるロック解除機構４５の動作を説明するための図である。図８（ａ）は、表示部１２が交換位置に配置されているときの状態を示している。なお、このとき、プリンタカバー２３は、その係止爪２９とオープンカム２７の係合部２７ａとが係合することにより、閉位置でロック状態となっている。
【００６６】
図８（ａ）に示す状態から、表示部１２を起点位置に向けて軸線Ｊ２まわりに回動させると、図８（ｂ）に示すように、ロック解除カム４３の突出部４３ａと、オープンカム２７の作用部２７ｂとが接触する。
【００６７】
この図８（ｂ）に示す状態から、表示部１２を起点位置に向けてさらに回動させると、オープンカム２７が、係合部２７ａと係止爪２９の垂下部２９ａとが当接することにより進入方向Ｄ１への回動が阻止されていることから、ロック解除カム４３の突出部４３ａが、このオープンカム２７の作用部２７ｂによって、第２方向Ｅ２への回転トルクを与えられ、図８（ｃ）および図９に示すように、ロック解除カム用引張コイルばね４４の弾性回復力に抗して、ロック解除カム４３が第２方向Ｅ２へ回動する。
【００６８】
そして、図８（ｃ）および図９に示す状態から、表示部１２を起点位置に向けてさらに回動させると、ロック解除カム４３の突出部４３ａとオープンカム２７の作用部２７ｂとの接触状態が解除されることにより、すなわち、ロック解除カム４３の突出部４３ａに対する第２方向Ｅ２への回転トルクが除去されることにより、ロック解除カム４３は、ロック解除カム用引張コイルばね４４の弾性回復力によって、図８（ｄ）に示すように、変位阻止部４３ｂと筒部４２の内周面４２ａとが当接するまで第１方向Ｅ１へ回動する。このようにして、ロール紙を交換後、表示部１２を交換位置から起点位置に復帰させることができる。
【００６９】
以上のように、本実施形態によれば、装置全体の小型化を実現しつつ、大きな表示面１２ａを確保するために、プリンタカバー２３の上方Ｚ１に表示部１２を配置し、かつ、プリンタカバー２３を開閉可能にするために、表示部１２が軸線Ｊ２まわりに回動可能に構成されているＰＯＳ端末装置１において、表示部１２を、起点位置から交換位置まで回動させるのに連動して、閉位置に配置されているプリンタカバー２３を自動的に開くように構成されている。
【００７０】
このように、表示部１２を回動させるという１つの動作を行うだけで、プリンタカバー２３を開くことができるので、表示部を回動させるという動作と、ロック解除ボタンを操作するという動作との２つの動作が必要であった従来技術に比べて、ロール紙を交換するための作業を容易にすることができる。
【００７１】
（第２の実施形態）
第１の実施形態では、回転角度が０°のときの表示部１２の位置を起点位置とし、回転角度が９０°のときの表示部１２の位置を交換位置としていたが、交換位置として設定される表示部１２の位置は、ロール紙を交換する際に、プリンタカバー２３の開閉に不都合のない回転角度であればよく、たとえば回転角度が６０°〜８０°のときの表示部１２の位置を交換位置としてもよい。
【００７２】
一例を挙げると、回転角度が７０°のときの表示部１２の位置を交換位置とする場合には、ＰＯＳ端末装置１は、表示部１２を起点位置から軸線Ｊ２まわりに７０°回動させると、係合部２７ａと係止爪２９との係合が解除される（図４参照）ように構成される。
【００７３】
このように構成される第２の実施形態に係るＰＯＳ端末装置１においても、第１の実施形態に係るＰＯＳ端末装置１と同様の効果を奏する。
【符号の説明】
【００７４】
１  ＰＯＳ端末装置
１１  装置本体部
１２  表示部
１３  回動部
２１  本体キャビネット
２３  プリンタカバー
２４  収容空間形成部
２６  ねじりばね
２７  オープンカム
２８  オープンカム用引張コイルばね
２９  係止爪
３０  ロール紙格納部
４１  回動機構
４２  筒部
４３  ロック解除カム
４４  ロック解除カム用引張コイルばね
４５  ロック解除機構
【図１】
2015176199.tif 000003
【図２】
2015176199.tif 000004
【図３】
2015176199.tif 000005
【図４】
2015176199.tif 000006
【図５】
2015176199.tif 000007
【図６Ａ】
2015176199.tif 000008
【図６Ｂ】
2015176199.tif 000009
【図７】
2015176199.tif 000010
【図８Ａ】
2015176199.tif 000011
【図８Ｂ】
2015176199.tif 000012
【図９】
2015176199.tif 000013